(57)【要約】【課題】  ボトルなどにヘッダー付袋を固定する際に該袋の表裏を間違って固定したり、間違わずに固定していないか確認するための検査工程が別途必要となったり、またヘッダー付袋が輸送中や店頭において回転してしまい、ボトルなどに表記されている内容が十分に確認できなくなることである。【解決手段】  少なくとも表面には印刷が施されたヘッダー部と、該ヘッダー部に固定された袋とを有したヘッダー付き袋であって、該ヘッダー部には袋を固定するための開口部を有し、少なくとも表面にある印刷が該開口部の上にあり、印刷裏面の該開口部の上部には着脱可能な接着部を有していることを特徴とするヘッダー付袋【選択図】  図１
2005104545.tif 000002
【特許請求の範囲】
【請求項１】
少なくとも表の面には印刷が施されたヘッダー部と、該ヘッダー部に固定された袋とを有したヘッダー付き袋であって、該ヘッダー部には袋を固定するための開口部を有し、前記印刷が該開口部の上に施されており、裏面の該開口部の上部には着脱可能な接着部を有していることを特徴とするヘッダー付袋
【請求項２】
前記開口部が引張ることにより自在に変形することができることを特徴とする請求項１に記載のヘッダー付袋
【請求項３】
前記ヘッダー部には、シート部材が挟み込まれていることを特徴とする請求項１または２に記載のヘッダー付袋
【請求項４】
前記袋がヘッダー部の近傍で封止されていることを特徴とする請求項１から３いずれか一項に記載のヘッダー付袋
【請求項５】
両面に印刷部が施されており、表裏面では文字、色、図柄、字数、文言、表示部の大きさが異なることを特徴とする請求項１から４いずれか一項に記載のヘッダー付袋
【発明の詳細な説明】
【技術分野】
【０００１】
本発明は、商品に付属される部材を固定でき、かつＰＯＰの機能を持ったヘッダー付袋に関する発明である。
【背景技術】
【０００２】
ボトルなどに付属品を固定する手段として、ヘッダー付袋に付属品を入れてボトルのネック部にヘッダー部にある開口部を引掛ける方法が開示されている（たとえば、特許文献１参照）。
【０００３】
また、別の方法として袋に固定されている紐やゴムなどをボトルのネック部に引掛けた方法が公知として採用されている。
【０００４】
しかし、ボトルなどに袋を固定する際に該袋の表裏を間違って固定したり、間違わずに固定していないか確認するための検査工程が別途必要となる。
【０００５】
また、袋に接着部がないと輸送中や店頭において袋がボトルのネック部を中心として回転してしまい、ボトルなどに表記されている内容が十分に確認できなくなる問題があった。
【０００６】
さらに、粘着剤付のＰＯＰを単独でボトルなどに貼りつけ、店頭において購買意欲を喚起する方法が用いられているが、従来のヘッダー付袋のヘッダー部には印刷が施すことは出来てもボトルなどのネック部に引掛けてもヘッダー部が固定できないため、印刷内容がボトル正面から確認できず、購買意欲を喚起することが出来ないといった問題があった。
その為、ヘッダー付袋とＰＯＰは、別々のアイテムで構成されていおり部材数が多くなり、在庫管理が複雑になっていた。
【特許文献１】特開２００２−１７９０９６
【発明の開示】
【発明が解決しようとする課題】
【０００７】
本発明は、上記問題を解決するためになされたもので、本発明の課題は、ボトルなどにヘッダー付袋を固定する際に該袋の表裏を間違って固定したり、間違わずに固定していないか確認するための検査工程が別途必要となったり、またヘッダー付袋が輸送中や店頭において回転してしまい、ボトルなどに表記されている内容が十分に確認できなくなることである。
【課題を解決するための手段】
【０００８】
上記目的を達成するために請求項１記載の発明によれば、少なくとも表の面には印刷が施されたヘッダー部と、該ヘッダー部に固定された袋とを有したヘッダー付き袋であって、該ヘッダー部には袋を固定するための開口部を有し、前記印刷が該開口部の上に施されており、裏面の該開口部の上部には着脱可能な接着部を有していることを特徴とするヘッダー付袋を用いることにより、ヘッダー付袋が輸送中や店頭において回転せず、ボトルなどに表記されている内容が十分に確認できることを可能とした。
【０００９】
また、ボトルなどの適した位置にヘッダー部の表面の印刷面を固定でき、ヘッダー部の表示により購買意欲を促進させることを可能にした。
【発明の効果】
【００１０】
本発明によれば、ボトルなどの付属品を該ボトルに固定しながら、ヘッダー付袋が輸送中や店頭において回転せず、該ボトルなどに表記されている内容が十分に確認でき、かつ該ボトルなどの適した位置にヘッダー部の表面の印刷面を固定でき、表示により購買意欲を促進させるという効果がある。
【００１１】
また、ヘッダー部の印刷が店頭においてＰＯＰの役割をするため、別途単独のＰＯＰを追加する場合に比べて部材が少なくアッセンブルの手間が省け、かつ部材やアッセンブルのコストダウンが図れるという効果がある。
【発明を実施するための最良の形態】
【００１２】
図１はＰＯＰ付ヘッダー袋の本体の表面である。ヘッダー部には袋をボトルなどに固定するための開口部Ａを有している。また、ヘッダー部の開口部Ａの上部には少なくとも印刷が施されている。
ヘッダー部には、補強の為に更にシート様の部材、例えばユポ紙などを挟んでもよい。
さらにヘッダー部と袋の境には袋の中の部材がずれたり、抜けたりしない様にヒートシールなどで封着しても良い。
または、中の部材が抜けたりしないようにフラップ部や袋本体に粘着剤、または両面テープなどを用いて封止出来るようにしても良い。
【００１３】
図２はＰＯＰ付ヘッダー袋の本体の裏面図である。ヘッダー部の開口部Ａの上部には粘着剤、または両面テープなどを有している。
また、袋部分にはさらに印刷を施して、使用上の注意事項や購買意欲を喚起するための表記を設けている。
【００１４】
図３はヘッダー部の拡大図である。ヘッダー部の少なくても表面の開口部Ａの上部には印刷を施している。
【００１５】
図４はＰＯＰ付ヘッダー付袋をトリガー付ボトルに取りつけた場合の正面図である。取付けはヘッダー部の開口部Ａをボトルのネック部に引掛けながらヘッダー部の裏面の開口部Ａの上部にある粘着剤、または両面テープなどにより実施している。
【００１６】
図５はスポンジなどのボトルの付属品が入ったＰＯＰ付ヘッダー付袋をトリガー付ボトルに取りつけた場合の横面図である。
【００１７】
図６はスポンジなどのボトルの付属品が入ったＰＯＰ付ヘッダー付袋をトリガー付ボトルに取りつけた場合の裏面図である。
【図面の簡単な説明】
【００１８】
【図１】本発明のＰＯＰ付ヘッダー袋の本体の表面である。
【図２】本発明のＰＯＰ付ヘッダー袋の本体の裏面図である。
【図３】本発明のヘッダー部の拡大図である。
【図４】本発明のＰＯＰ付ヘッダー付袋をトリガー付ボトルに取りつけた場合の正面図である。
【図５】本発明のＰＯＰ付ヘッダー付袋をトリガー付ボトルに取りつけた場合の横面図である
【図６】本発明のＰＯＰ付ヘッダー付袋をトリガー付ボトルに取りつけた場合の裏面図である。
【符号の説明】
【００１９】
１…ヘッダー部、 ２…印刷部Ａ、 ３…開口部Ａ、 ４…ヒートシール部、 ５…袋部、 ６…フラップ部、 ７…粘着部Ａ、 ８…印刷部Ｂ、 ９…粘着部Ｂ、 １０…開口部Ａの上部、 １１…トリガー、 １２…ボトル、 １３…ボトルネック、 １４…スポンジ、 １５…ＰＯＰ付ヘッダー付袋本体
【図１】
2005104545.tif 000003
【図２】
2005104545.tif 000004
【図３】
2005104545.tif 000005
【図４】
2005104545.tif 000006
【図５】
2005104545.tif 000007
【図６】
2005104545.tif 000008